(57)【要約】【課題】冷凍室蒸発器と冷蔵室蒸発器に冷媒を分配供給して各室を冷却する冷却貯蔵庫において発生する異常温度上昇を、迅速、且つ、支障無く解消する。【解決手段】制御装置は、各室の冷却温度範囲より高い所定の冷凍室高温閾値及び冷蔵室高温閾値を有し、冷蔵室の温度が冷蔵室高温閾値以上に上昇している状態が所定時間継続しており、且つ、冷凍室の温度が冷凍室高温閾値以下である場合、冷凍室蒸発器５に優先して冷蔵室蒸発器６に冷媒を供給する冷蔵室優先冷却モードを実行する。【選択図】図４
2013200081.tif 000002
【特許請求の範囲】
【請求項１】
冷凍室を冷却する冷凍室蒸発器と冷蔵室を冷却する冷蔵室蒸発器とを有し、圧縮機にて圧縮された冷媒をそれぞれ減圧手段を介して前記冷凍室蒸発器及び冷蔵室蒸発器に分配供給することにより、各室を冷却して成る冷却貯蔵庫において、
前記冷凍室及び冷蔵室の温度をそれぞれ検出する冷凍室温度センサ及び冷蔵室温度センサと、
各温度センサが検出する前記冷凍室及び冷蔵室の温度に基づき、各室の温度が当該各室に対してそれぞれ設定された設定温度を含む所定の冷却温度範囲に入るよう前記各蒸発器への冷媒供給と前記圧縮機の運転を制御する制御手段とを備え、
該制御手段は、前記各室の前記冷却温度範囲より高い所定の冷凍室高温閾値及び冷蔵室高温閾値を有し、
前記冷蔵室の温度が前記冷蔵室高温閾値以上に上昇している状態が所定時間継続しており、且つ、前記冷凍室の温度が前記冷凍室高温閾値以下である場合、前記冷凍室蒸発器に優先して前記冷蔵室蒸発器に冷媒を供給する冷蔵室優先冷却モードを実行することを特徴とする冷却貯蔵庫。
【請求項２】
前記制御手段は、前記冷蔵室の温度が前記冷却温度範囲の何れかの値まで低下した場合、又は、前記冷凍室の温度が前記冷凍室高温閾値以上に上昇している状態が所定時間継続した場合、前記冷蔵室優先冷却モードを終了することを特徴とする請求項１に記載の冷却貯蔵庫。
【請求項３】
前記制御手段は、前記冷凍室の温度が前記冷凍室高温閾値以上に上昇している状態が所定時間継続しており、且つ、前記冷蔵室の温度が前記冷蔵室高温閾値以下である場合、前記冷蔵室蒸発器に優先して前記冷凍室蒸発器に冷媒を供給する冷凍室優先冷却モードを実行することを特徴とする請求項１又は請求項２に記載の冷却貯蔵庫。
【請求項４】
冷凍室を冷却する冷凍室蒸発器と冷蔵室を冷却する冷蔵室蒸発器とを有し、圧縮機にて圧縮された冷媒をそれぞれ減圧手段を介して前記冷凍室蒸発器及び冷蔵室蒸発器に分配供給することにより、各室を冷却して成る冷却貯蔵庫において、
前記冷凍室及び冷蔵室の温度をそれぞれ検出する冷凍室温度センサ及び冷蔵室温度センサと、
各温度センサが検出する前記冷凍室及び冷蔵室の温度に基づき、各室の温度が当該各室に対してそれぞれ設定された設定温度を含む所定の冷却温度範囲に入るよう前記各蒸発器への冷媒供給と前記圧縮機の運転を制御する制御手段とを備え、
該制御手段は、前記各室の前記冷却温度範囲より高い所定の冷凍室高温閾値及び冷蔵室高温閾値を有し、
前記冷凍室の温度が前記冷凍室高温閾値以上に上昇している状態が所定時間継続しており、且つ、前記冷蔵室の温度が前記冷蔵室高温閾値以下である場合、前記冷蔵室蒸発器に優先して前記冷凍室蒸発器に冷媒を供給する冷凍室優先冷却モードを実行することを特徴とする冷却貯蔵庫。
【請求項５】
前記制御手段は、前記冷凍室の温度が前記冷却温度範囲の何れかの値まで低下した場合、又は、前記冷蔵室の温度が前記冷蔵室高温閾値以上に上昇している状態が所定時間継続した場合、前記冷凍室優先冷却モードを終了することを特徴とする請求項３又は請求項４に記載の冷却貯蔵庫。
【請求項６】
前記制御手段は、前記冷凍室の温度が前記冷却温度範囲にあり、且つ、前記冷蔵室の温度が前記冷却温度範囲より上に逸脱している状態が所定時間継続した場合、前記冷凍室蒸発器には冷媒を供給せず、前記冷蔵室蒸発器に冷媒を供給する状態に切り換えることを特徴とする請求項１乃至請求項５のうちの何れかに記載の冷却貯蔵庫。
【請求項７】
前記制御手段は、前記冷蔵室の温度が前記冷却温度範囲にあり、且つ、前記冷凍室の温度が前記冷却温度範囲より上に逸脱している状態が所定時間継続した場合、前記冷蔵室蒸発器には冷媒を供給せず、前記冷凍室蒸発器に冷媒を供給する状態に切り換えることを特徴とする請求項１乃至請求項６のうちの何れかに記載の冷却貯蔵庫。
【請求項８】
前記制御手段は、前記冷蔵室及び冷凍室の温度が前記冷蔵室高温閾値及び冷凍室高温閾値以上に上昇している状態が所定時間継続した場合、所定のデューティーで前記両蒸発器に交互に冷媒を供給するデューティー制御モードを実行することを特徴とする請求項１乃至請求項７のうちの何れかに記載の冷却貯蔵庫。
【請求項９】
前記制御手段は、前記冷蔵室又は冷凍室の温度が前記冷却温度範囲の何れかの値まで低下した場合、前記デューティー制御モードを終了することを特徴とする請求項８に記載の冷却貯蔵庫。
【請求項１０】
前記制御手段により制御され、前記各蒸発器のうちの何れか一方のみに選択的に冷媒を供給する状態と、双方の蒸発器に同時に冷媒を供給する状態とを実現可能な三方弁を備えると共に、前記各減圧手段は、キャピラリチューブにより構成されていることを特徴とする請求項１乃至請求項９のうちの何れかに記載の冷却貯蔵庫。
【発明の詳細な説明】
【技術分野】
【０００１】
本発明は、圧縮機にて圧縮された冷媒をそれぞれ減圧手段を介して冷凍室蒸発器と、冷蔵室蒸発器に分配供給することにより冷凍室及び冷蔵室をそれぞれ冷却してなる冷却貯蔵庫に関するものである。
【背景技術】
【０００２】
従来よりこの種冷却貯蔵庫では、圧縮機と、凝縮器と、キャピラリチューブを介して接続された冷蔵室蒸発器と、他のキャピラリチューブを介して接続された冷凍室蒸発器とにて冷媒回路が構成されている。そして、圧縮機から吐出された冷媒を凝縮器にて放熱した後、三方弁を介して一方のキャピラリチューブが接続された冷蔵室蒸発器、若しくは、他方のキャピラリチューブが接続された冷凍室蒸発器のそれぞれにおいて蒸発させ、圧縮機に帰還する冷凍サイクルとされていた。
【０００３】
この場合、それぞれの蒸発器に接続されるキャピラリチューブは、任意の口径、長さにて構成されており、これによって、それぞれの蒸発器における蒸発温度を設定し、それぞれ冷蔵室、冷凍室内を所定の温度帯に冷却する。
【０００４】
また、冷蔵室及び冷凍室内には、庫内温度を検出する庫内温度センサがそれぞれ設けられており、各室内がそれぞれに設定された冷却温度範囲となるように、三方弁及び圧縮機の制御が行われるものであった（例えば、特許文献１参照）。
【先行技術文献】
【特許文献】
【０００５】
【特許文献１】特許第３９２２８９１号公報
【発明の概要】
【発明が解決しようとする課題】
【０００６】
このように冷凍室と冷蔵室を有して各室の蒸発器に冷媒を分配供給する冷却貯蔵庫において、何れかの室の扉が食品の出し入れのために長時間開放されたり、不完全に閉じられて半開き状態で放置された場合等には、外気の侵入によりその室の温度は異常に上昇してしまう。従って、当該室内に収納された物品の劣化を防止するためには、その室の温度をできるだけ早急に下げなければならないが、他方の室にも冷却温度範囲となるように冷媒供給が行われるため、温度が異常上昇した室を迅速に冷却することが困難となる問題があった。
【０００７】
本発明は、係る従来の技術的課題を解決するためになされたものであり、冷凍室蒸発器と冷蔵室蒸発器に冷媒を分配供給して各室を冷却する冷却貯蔵庫において発生する異常温度上昇を、迅速、且つ、支障無く解消することを目的とする。
【課題を解決するための手段】
【０００８】
上記課題を解決するために本発明の冷却貯蔵庫は、冷凍室を冷却する冷凍室蒸発器と冷蔵室を冷却する冷蔵室蒸発器とを有し、圧縮機にて圧縮された冷媒をそれぞれ減圧手段を介して冷凍室蒸発器及び冷蔵室蒸発器に分配供給することにより、各室を冷却して成るものであって、冷凍室及び冷蔵室の温度をそれぞれ検出する冷凍室温度センサ及び冷蔵室温度センサと、各温度センサが検出する冷凍室及び冷蔵室の温度に基づき、各室の温度が当該各室に対してそれぞれ設定された設定温度を含む所定の冷却温度範囲に入るよう各蒸発器への冷媒供給と圧縮機の運転を制御する制御手段とを備え、この制御手段は、各室の冷却温度範囲より高い所定の冷凍室高温閾値及び冷蔵室高温閾値を有し、冷蔵室の温度が冷蔵室高温閾値以上に上昇している状態が所定時間継続しており、且つ、冷凍室の温度が冷凍室高温閾値以下である場合、冷凍室蒸発器に優先して冷蔵室蒸発器に冷媒を供給する冷蔵室優先冷却モードを実行することを特徴とする。
【０００９】
請求項２の発明の冷却貯蔵庫は、上記発明において制御手段は、冷蔵室の温度が冷却温度範囲の何れかの値まで低下した場合、又は、冷凍室の温度が冷凍室高温閾値以上に上昇している状態が所定時間継続した場合、冷蔵室優先冷却モードを終了することを特徴とする。
【００１０】
請求項３の発明の冷却貯蔵庫は、上記各発明において制御手段は、冷凍室の温度が冷凍室高温閾値以上に上昇している状態が所定時間継続しており、且つ、冷蔵室の温度が冷蔵室高温閾値以下である場合、冷蔵室蒸発器に優先して冷凍室蒸発器に冷媒を供給する冷凍室優先冷却モードを実行することを特徴とする。
【００１１】
請求項４の発明の冷却貯蔵庫は、冷凍室を冷却する冷凍室蒸発器と冷蔵室を冷却する冷蔵室蒸発器とを有し、圧縮機にて圧縮された冷媒をそれぞれ減圧手段を介して冷凍室蒸発器及び冷蔵室蒸発器に分配供給することにより、各室を冷却して成るものであって、冷凍室及び冷蔵室の温度をそれぞれ検出する冷凍室温度センサ及び冷蔵室温度センサと、各温度センサが検出する冷凍室及び冷蔵室の温度に基づき、各室の温度が当該各室に対してそれぞれ設定された設定温度を含む所定の冷却温度範囲に入るよう各蒸発器への冷媒供給と圧縮機の運転を制御する制御手段とを備え、この制御手段は、各室の冷却温度範囲より高い所定の冷凍室高温閾値及び冷蔵室高温閾値を有し、冷凍室の温度が冷凍室高温閾値以上に上昇している状態が所定時間継続しており、且つ、冷蔵室の温度が冷蔵室高温閾値以下である場合、冷蔵室蒸発器に優先して冷凍室蒸発器に冷媒を供給する冷凍室優先冷却モードを実行することを特徴とする。
【００１２】
請求項５の発明の冷却貯蔵庫は、請求項３又は請求項４の発明において制御手段は、冷凍室の温度が冷却温度範囲の何れかの値まで低下した場合、又は、冷蔵室の温度が冷蔵室高温閾値以上に上昇している状態が所定時間継続した場合、冷凍室優先冷却モードを終了することを特徴とする。
【００１３】
請求項６の発明の冷却貯蔵庫は、上記各発明において制御手段は、冷凍室の温度が冷却温度範囲にあり、且つ、冷蔵室の温度が冷却温度範囲より上に逸脱している状態が所定時間継続した場合、冷凍室蒸発器には冷媒を供給せず、冷蔵室蒸発器に冷媒を供給する状態に切り換えることを特徴とする。
【００１４】
請求項７の発明の冷却貯蔵庫は、上記各発明において制御手段は、冷蔵室の温度が冷却温度範囲にあり、且つ、冷凍室の温度が冷却温度範囲より上に逸脱している状態が所定時間継続した場合、冷蔵室蒸発器には冷媒を供給せず、冷凍室蒸発器に冷媒を供給する状態に切り換えることを特徴とする。
【００１５】
請求項８の発明の冷却貯蔵庫は、上記各発明において制御手段は、冷蔵室及び冷凍室の温度が冷蔵室高温閾値及び冷凍室高温閾値以上に上昇している状態が所定時間継続した場合、所定のデューティーで両蒸発器に交互に冷媒を供給するデューティー制御モードを実行することを特徴とする。
【００１６】
請求項９の発明の冷却貯蔵庫は、上記発明において制御手段は、冷蔵室又は冷凍室の温度が冷却温度範囲の何れかの値まで低下した場合、デューティー制御モードを終了することを特徴とする。
【００１７】
請求項１０の発明の冷却貯蔵庫は、上記各発明において制御手段により制御され、各蒸発器のうちの何れか一方のみに選択的に冷媒を供給する状態と、双方の蒸発器に同時に冷媒を供給する状態とを実現可能な三方弁を備えると共に、各減圧手段は、キャピラリチューブにより構成されていることを特徴とする。
【発明の効果】
【００１８】
請求項１の発明によれば、冷凍室を冷却する冷凍室蒸発器と冷蔵室を冷却する冷蔵室蒸発器とを有し、圧縮機にて圧縮された冷媒をそれぞれ減圧手段を介して冷凍室蒸発器及び冷蔵室蒸発器に分配供給することにより、各室を冷却して成る冷却貯蔵庫において、冷凍室及び冷蔵室の温度をそれぞれ検出する冷凍室温度センサ及び冷蔵室温度センサと、各温度センサが検出する冷凍室及び冷蔵室の温度に基づき、各室の温度が当該各室に対してそれぞれ設定された設定温度を含む所定の冷却温度範囲に入るよう各蒸発器への冷媒供給と圧縮機の運転を制御する制御手段とを備え、この制御手段は、各室の冷却温度範囲より高い所定の冷凍室高温閾値及び冷蔵室高温閾値を有し、冷蔵室の温度が冷蔵室高温閾値以上に上昇している状態が所定時間継続しており、且つ、冷凍室の温度が冷凍室高温閾値以下である場合、冷凍室蒸発器に優先して冷蔵室蒸発器に冷媒を供給する冷蔵室優先冷却モードを実行するので、冷蔵室の扉開放等によって冷蔵室の温度が異常に上昇し、その状態が所定時間継続してしている場合には、冷蔵室優先冷却モードを実行して冷蔵室蒸発器に冷媒を優先的に供給し、冷蔵室を迅速に冷却して温度を急速に低下させ、収納物品の劣化を未然に回避することができるようになる。
【００１９】
この場合、冷蔵室優先冷却モードは冷凍室の温度が冷凍室高温閾値以下である場合のみ実行されるので、冷凍室の異常温度上昇も防ぐことが可能となるものである。
【００２０】
また、請求項２の発明によれば、上記発明に加えて制御手段は、冷蔵室の温度が冷却温度範囲の何れかの値まで低下した場合、又は、冷凍室の温度が冷凍室高温閾値以上に上昇している状態が所定時間継続した場合、冷蔵室優先冷却モードを終了するので、冷蔵室優先冷却モードを実行している間に冷凍室の温度が異常に上昇してしまう不都合も未然に回避することが可能となるものである。
【００２１】
また、請求項３の発明によれば、上記各発明に加えて制御手段は、冷凍室の温度が冷凍室高温閾値以上に上昇している状態が所定時間継続しており、且つ、冷蔵室の温度が冷蔵室高温閾値以下である場合、冷蔵室蒸発器に優先して冷凍室蒸発器に冷媒を供給する冷凍室優先冷却モードを実行するので、冷凍室の扉開放等によって冷凍室の温度が異常に上昇し、その状態が所定時間継続してしている場合には、冷凍室優先冷却モードを実行して今度は冷凍室蒸発器に冷媒を優先的に供給し、冷凍室を迅速に冷却して温度を急速に低下させ、収納物品の劣化を未然に回避することができるようになる。この場合も、冷凍室優先冷却モードは冷蔵室の温度が冷蔵室高温閾値以下である場合のみ実行されるので、冷蔵室の異常温度上昇も防ぐことが可能となる。
【００２２】
請求項４の発明によれば、冷凍室を冷却する冷凍室蒸発器と冷蔵室を冷却する冷蔵室蒸発器とを有し、圧縮機にて圧縮された冷媒をそれぞれ減圧手段を介して冷凍室蒸発器及び冷蔵室蒸発器に分配供給することにより、各室を冷却して成る冷却貯蔵庫において、冷凍室及び冷蔵室の温度をそれぞれ検出する冷凍室温度センサ及び冷蔵室温度センサと、各温度センサが検出する冷凍室及び冷蔵室の温度に基づき、各室の温度が当該各室に対してそれぞれ設定された設定温度を含む所定の冷却温度範囲に入るよう各蒸発器への冷媒供給と圧縮機の運転を制御する制御手段とを備え、この制御手段は、各室の冷却温度範囲より高い所定の冷凍室高温閾値及び冷蔵室高温閾値を有し、冷凍室の温度が冷凍室高温閾値以上に上昇している状態が所定時間継続しており、且つ、冷蔵室の温度が冷蔵室高温閾値以下である場合、冷蔵室蒸発器に優先して冷凍室蒸発器に冷媒を供給する冷凍室優先冷却モードを実行するので、冷凍室の扉開放等によって冷凍室の温度が異常に上昇し、その状態が所定時間継続してしている場合には、冷凍室優先冷却モードを実行して冷凍室蒸発器に冷媒を優先的に供給し、冷凍室を迅速に冷却して温度を急速に低下させ、収納物品の劣化を未然に回避することができるようになる。
【００２３】
この場合、冷凍室優先冷却モードは冷蔵室の温度が冷蔵室高温閾値以下である場合のみ実行されるので、冷蔵室の異常温度上昇も防ぐことが可能となるものである。
【００２４】
また、請求項５の発明によれば、請求項３又は請求項４の発明に加えて制御手段は、冷凍室の温度が冷却温度範囲の何れかの値まで低下した場合、又は、冷蔵室の温度が冷蔵室高温閾値以上に上昇している状態が所定時間継続した場合、冷凍室優先冷却モードを終了するので、冷凍室優先冷却モードを実行している間に冷蔵室の温度が異常に上昇してしまう不都合も未然に回避することが可能となるものである。
【００２５】
請求項６の発明によれば、上記各発明に加えて制御手段は、冷凍室の温度が冷却温度範囲にあり、且つ、冷蔵室の温度が冷却温度範囲より上に逸脱している状態が所定時間継続した場合、冷凍室蒸発器には冷媒を供給せず、冷蔵室蒸発器に冷媒を供給する状態に切り換えるので、冷凍室蒸発器と冷蔵室蒸発器の両方に冷媒を供給しているものの、冷凍室は冷却温度範囲に冷えており、冷蔵室は冷却温度範囲から上に徐々に温度上昇していくような場合に、冷蔵室蒸発器のみに冷媒を供給して冷蔵室の温度を迅速に下げることが可能となる。これにより、冷凍室は冷えているが冷蔵室は冷えないという所謂片冷え状態を迅速に解消することが可能となるものである。
【００２６】
請求項７の発明によれば、上記各発明に加えて制御手段は、冷蔵室の温度が冷却温度範囲にあり、且つ、冷凍室の温度が冷却温度範囲より上に逸脱している状態が所定時間継続した場合、冷蔵室蒸発器には冷媒を供給せず、冷凍室蒸発器に冷媒を供給する状態に切り換えるので、冷凍室蒸発器と冷蔵室蒸発器の両方に冷媒を供給しているものの、冷蔵室は冷却温度範囲に冷えており、冷凍室は冷却温度範囲から上に徐々に温度上昇していくような場合に、冷凍室蒸発器のみに冷媒を供給して冷凍室の温度を迅速に下げることが可能となる。これにより、冷蔵室は冷えているが冷凍室は冷えないという所謂片冷え状態を迅速に解消することが可能となるものである。
【００２７】
請求項８の発明によれば、上記各発明において制御手段は、冷蔵室及び冷凍室の温度が冷蔵室高温閾値及び冷凍室高温閾値以上に上昇している状態が所定時間継続した場合、所定のデューティーで両蒸発器に交互に冷媒を供給するデューティー制御モードを実行するので、冷蔵室及び冷凍室の双方とも異常に温度上昇している状態が続いた場合、交互に各蒸発器に冷媒を供給して双方の室を交互に集中して冷却していき、結果として両室を迅速に温度低下させることが可能となるものである。
【００２８】
この場合、請求項９の発明の如く制御手段が、冷蔵室又は冷凍室の温度が冷却温度範囲の何れかの値まで低下した場合に、デューティー制御モードを終了するようにすれば、何れかの室の温度上昇が解消した時点で、支障無く通常の冷却状態に復帰することができるようになるものである。
【００２９】
そして、請求項１０の発明の如く制御手段により制御され、各蒸発器のうちの何れか一方のみに選択的に冷媒を供給する状態と、双方の蒸発器に同時に冷媒を供給する状態とを実現可能な三方弁を備えると共に、各減圧手段がキャピラリチューブにより構成されている冷却貯蔵庫においては、各蒸発器用の電子膨張弁を使用する場合の如く、各蒸発器への冷媒流入を細かく調整することができないため、特に上記各発明は有効となる。
【図面の簡単な説明】
【００３０】
【図１】本発明を適用した冷却貯蔵庫の扉を開放した状態の斜視図である。
【図２】図１の冷却貯蔵庫の縦断側面図である。
【図３】図２のドレンパン部分の拡大図である。
【図４】図１の冷却貯蔵庫の冷媒回路図である。
【図５】図１の冷却貯蔵庫の制御装置の電気回路のブロック図である。
【図６】図５の制御装置が実行する通常冷却運転を説明するフローチャートである。
【図７】図５の制御装置が実行する優先冷却モードを説明するフローチャートである。
【図８】図５の制御装置が実行する片冷え解消制御を説明するフローチャートである。
【図９】図５の制御装置が実行するデューティー制御を説明するフローチャートである。
【発明を実施するための形態】
【００３１】
以下、本発明の実施の形態について詳細に説明する。図１は本発明を適用した冷却貯蔵庫１の断熱扉８、９を開放した状態の斜視図を示している。実施例の冷却貯蔵庫１は、ホテルやレストランの厨房等に設置される縦型業務用冷凍冷蔵庫であり、前面に開口する断熱箱体２により構成されている。
【００３２】
図１の冷却貯蔵庫１は、断熱箱体２内を断熱性の仕切壁２Ａ、２Ｂにて区画することにより貯蔵室としての冷凍室（Ｆ）３と冷蔵室（Ｒ）４とが形成されている。本実施例では、断熱箱体２の上部を仕切壁２Ａにて左右に区画し、仕切壁２Ａにて区画された一側（この場合図１の向かって左側）を更に仕切壁２Ｂにて上下に区画することにより、断熱箱体２内の一側（向かって左側）上部が冷凍室３、それ以外の他側（向かって右側）上部から下部全域（冷凍室３の下側）が連続した冷蔵室４とされ、向かって左上の冷凍室３とそれ以外の冷蔵室４とは相互に冷気の流通が不能に構成される。
【００３３】
そして、冷凍室３の前面開口は、断熱箱体２の一側上部に枢支された断熱扉８にて開閉自在に閉塞されると共に、冷蔵室４の前面開口は、断熱箱体２の他側上部、他側下部、一側下部のそれぞれに独立して枢支された各断熱扉９にて開閉自在に閉塞される。これにより、断熱箱体２の前面開口は、上下に設けられた二組の観音開き式の断熱扉８、９、９、９にて開閉自在に閉塞されることとなる。
【００３４】
尚、図中１０は、仕切壁２Ｂと同じ高さの位置で断熱箱体２の前面開口部を上下に区画し、断熱扉８、９が閉じたときにそれらの裏面と当接して密着させるための中仕切である。
【００３５】
冷凍室３の上部には、冷却貯蔵庫１の冷却装置１６を構成する冷凍室蒸発器５が配設されており、この冷凍室蒸発器５及びその前側近傍に取り付けられた冷凍室送風機７Ｆ（図５）により、冷凍室３内は所定の冷凍室冷却温度範囲に冷却される。また、冷蔵室４の上部にも同じく冷却装置１６を構成する冷蔵室蒸発器６が配設されており、この冷蔵室蒸発器６及びその前側近傍に取り付けられた冷蔵室送風機７Ｒにより、冷蔵室４内は所定の冷蔵室冷却温度範囲に冷却される。
【００３６】
尚、冷凍室３、冷蔵室４の配置や容積比率は、これに限定されるものではなく、相互に冷気の流通が不能とされる構成とされ、冷凍室３及び冷蔵室４のそれぞれに冷凍室蒸発器５及び冷蔵室蒸発器６が配設される冷却貯蔵庫であればよい。
【００３７】
ここで、図２は断熱箱体２の他側（向かって右側）に位置する冷蔵室４側の冷却貯蔵庫１の縦断側面図を示しており、当該図中において冷蔵室蒸発器６及び冷蔵室送風機７Ｒの下方に取り付けられた２０は、冷蔵室蒸発器６が配置された冷却室２１と冷蔵室４とを区画して冷蔵室蒸発器６からのドレン水を受けて排出するためのアルミニウム製のドレンパンである。このドレンパン２０部分の詳細構造を図３の拡大図に示す。この図において５０はドレンパン２０の下側に配置された樹脂製の蒸発器カバーである。これらドレンパン２０及び蒸発器カバー５０は後方が開放されている。また、冷蔵室送風機７Ｒはファンケース５５内に収納されており、当該冷蔵室送風機７Ｒの下側に対応する部分のドレンパン２０及び蒸発器カバー５０は開口し、特に冷蔵室送風機７Ｒに対応する部分の蒸発器カバー５０はスリット状のファンカバー５０Ａとされている。そして、冷蔵室送風機７Ｒによって冷蔵室４内から冷却室２１に吸い込まれた冷気は、冷蔵室蒸発器６と熱交換した後、冷却室２１後方から冷蔵室４内に吐出される。
【００３８】
尚、当該ドレンパン２０、蒸発器カバー５０、ファンケース５５及び冷却室２１の構成は、図示しないが冷凍室３における冷凍室蒸発器５、冷凍室送風機７Ｆについても同様とされている。
【００３９】
そして、断熱箱体２の天面には、前面、両側面、後面を構成するパネル１１にて機械室１２が画成されており、この機械室１２内には、上記各蒸発器５、６と共に冷却装置１６を構成する圧縮機１３や凝縮器１４、更には、凝縮器用送風機１５等が配設される。
【００４０】
また、冷凍室蒸発器５には当該冷凍室蒸発器５への着霜を融解して霜取を行うための冷凍室霜取ヒータ４６が取り付けられ、更に当該冷凍室蒸発器５の所定の霜取復帰温度（例えば＋１０℃）を検出するための冷凍室霜取復帰温度センサ４１が取り付けられている。更に、冷凍室蒸発器５下側に位置するドレンパン２０には当該ドレンパン２０及び冷凍室送風機７Ｆの氷結を融解、若しくは、融解に寄与する氷結融解ヒータとして機能する冷凍室ドレンパンヒータ４８（図５）が取り付けられており、冷凍室送風機７Ｆが取り付けられたファンケース５５には、これも冷凍室送風機７Ｆの氷結を融解、若しくは、融解に寄与する氷結融解ヒータとして機能する冷凍室ファンケースヒータ４９が取り付けられている。
【００４１】
一方、冷蔵室蒸発器６には当該冷蔵室蒸発器６への着霜を融解して霜取を行うための冷蔵室霜取ヒータ４７が取り付けられ、更に当該冷蔵室蒸発器６の所定の霜取復帰温度（例えば＋１０℃）を検出するための冷蔵室霜取復帰温度センサ４２が取り付けられている。更に、冷蔵室蒸発器６下側に位置するドレンパン２０の裏（下）面には当該ドレンパン２０及び冷蔵室送風機７Ｒの氷結を融解、若しくは、融解に寄与する氷結融解ヒータとして機能する冷蔵室ドレンパンヒータ５１が取り付けられており、冷蔵室送風機７Ｒが取り付けられたファンケース５５には、これも冷蔵室送風機７Ｒの氷結を融解、若しくは、融解に寄与する氷結融解ヒータとして機能する冷蔵室ファンケースヒータ５２が取り付けられている。
【００４２】
更に、仕切壁２Ａ、２Ｂの冷蔵室４側の面の内側には冷蔵室結露防止ヒータ（ヒータ）５３が取り付けられている。この冷蔵室結露防止ヒータ５３は、仕切壁２Ａ、２Ｂの冷蔵室４側の面を加熱するヒータであり、温度の低い冷凍室３からの冷却作用により、仕切壁２Ａ、２Ｂの冷蔵室４側の面に結露が発生することを防止するものである。
【００４３】
ここで、図４の冷媒回路図を参照して冷却貯蔵庫１の冷媒回路について説明する。圧縮機１３の冷媒吐出側に凝縮器１４が接続され、この凝縮器１４の冷媒下流側には、上記冷凍室３を冷却する冷凍室蒸発器５と、冷蔵室４を冷却する冷蔵室蒸発器６がそれぞれ減圧手段としてのキャピラリチューブ１８、１９を介して接続されている。各キャピラリチューブ１８、１９は、それぞれ冷凍室３、又は、冷蔵室４における蒸発温度を考慮し、任意の口径、長さのものに選定されている。
【００４４】
本実施例では、各蒸発器５、６への冷媒供給を制御する流路切換手段としての三方弁１７により、圧縮機１３にて圧縮された冷媒をキャピラリチューブ１８を介して冷凍室蒸発器５、若しくは、キャピラリチューブ１９を介して冷蔵室蒸発器６に分配供給可能とされる。即ち、三方弁１７を切換制御することによって、各蒸発器５、６の内の何れか一方のみに選択的に冷媒を供給する状態と、冷凍室蒸発器５及び冷蔵室蒸発器６の双方に冷媒を供給する状態とを実現可能とされる。
【００４５】
また、本実施例では、三方弁１７によって各蒸発器５、６のうちの何れか一方のみに冷媒が供給された場合、必ず、供給された側の蒸発器が設けられた室の温度が冷却温度範囲から下に逸脱し、逸脱した方の蒸発器５、又は、６への冷媒の流入が停止（サーモオフ）される設定とされているものとする。
【００４６】
そして、各蒸発器５、６の冷媒流出側に接続された冷媒配管２２、２３は、対応するそれぞれのキャピラリチューブ１８、１９と熱交換可能に配設されて、その端部は合流部２４に接続される。当該合流部２４には、両蒸発器５、６から流出され、合流された冷媒を圧縮機１３に帰還させる吸込配管２５が接続される。
【００４７】
次に、図５の電気回路のブロック図を参照して冷却貯蔵庫１の制御手段を構成する制御装置４０について説明する。制御装置４０は汎用のマイクロコンピュータにより構成されており、記憶手段としてのメモリ２６を備え、時限手段としてのタイマ２７等をその機能として有している。
【００４８】
そして、制御装置４０の入力側には、冷凍室３、冷蔵室４の設定温度ＴＦ、ＴＲや当該設定温度を含む冷却温度範囲を任意に設定可能とするコントロールパネル（入力手段）２８と、冷凍室３の温度を検出する冷凍室温度センサ（冷凍室温度検出手段。貯蔵室温度センサ）２９と、冷蔵室４の温度を検出する冷蔵室温度センサ（冷蔵室温度検出手段。貯蔵室温度センサ）３０と、外気温度を検出する外気温度センサ（外気温度検出手段）３２が接続されている。尚、コントロールパネル２８は冷凍室３の設定温度ＴＦを、−２０℃を中心として例えば−２２℃〜−１８℃の冷凍温度範囲で任意に設定可能とされており、冷蔵室４の設定温度ＴＲは、＋４℃を中心として例えば＋２℃〜＋６℃の冷蔵温度範囲で任意に設定可能とされている。また、コントロールパネル２８では、上記以外にも各種設定を変更することが可能であり、また、各種情報や警報の表示を行うための表示器（警報手段）も備えている。
【００４９】
また、制御装置４０の出力側には、圧縮機１３と、三方弁１７と、冷凍室送風機７Ｆと、冷蔵室送風機７Ｒと、凝縮器用送風機１５が接続されている。本実施例では、圧縮機１３（圧縮機のモータ）は、インバータ装置３１を介して接続されており、これによって制御装置４０は圧縮機１３の運転と停止に加え、圧縮機１３の運転周波数を下限値（Ｇ１：例えば３０Ｈｚ）から上限値（Ｇ２：例えば８０Ｈｚ）の間で任意に、リニアに制御可能とされる。
【００５０】
更に、制御装置４０の入力側には、前記冷凍室霜取復帰温度センサ４１と、冷蔵室霜取復帰温度センサ４２と、冷凍室送風機７Ｆの通電電流を検出する冷凍室送風機カレントトランス４３と、冷蔵室送風機７Ｒの通電電流を検出する冷蔵室送風機カレントトランス４４が接続されている。更にまた、制御装置４０の出力側には、前記冷凍室霜取ヒータ４６と、冷蔵室霜取ヒータ４７と、冷蔵室結露防止ヒータ５３と、冷凍室ドレンパンヒータ４８と、冷凍室ファンケースヒータ４９と、冷蔵室ドレンパンヒータ５１と、冷蔵室ファンケースヒータ５２が接続されている。
【００５１】
制御装置４０はこれらヒータ４６、４７、４８、４９、５１、５２、５３の通電率を０％〜１００％の間で制御可能とされている。即ち、制御装置４０は後述する通常冷却運転中に、所定時間毎に圧縮機１３を停止し、両霜取ヒータ４６、４７、両ドレンパンヒータ４８、５１、両ファンケースヒータ４９、５２に通電して両蒸発器５、６の霜取運転を実行する。そして、各蒸発器５、６の温度が所定の霜取復帰温度に上昇したら霜取運転を終了する。また、制御装置４０は冷蔵室結露防止ヒータ５３に通電して仕切壁２Ａ、２Ｂの冷蔵室４側の面への結露の発生を防止する。
【００５２】
以上の構成で、次にフローチャートを参照しながら実施例の冷却貯蔵庫１の動作について説明する。
【００５３】
（１）通常冷却運転
制御装置４０は、電源が投入されると圧縮機１３と各送風機７Ｆ、７Ｒ、１５を運転して通常冷却運転を開始する。図６のフローチャートはこの通常冷却運転を示しており、制御装置４０はこの通常冷却運転により冷凍室３及び冷蔵室４のそれぞれが冷却温度範囲となるように圧縮機１３と三方弁１７の制御を行う。
【００５４】
即ち、コントロールパネル２８にて冷凍室３の設定温度ＴＦ（例えば、−２０℃）が設定されると、当該設定温度ＴＦを含む該設定温度ＴＦの上下の範囲で冷凍室冷却温度範囲が設定される。この場合、冷凍室冷却温度範囲は、例えば冷凍室下限温度ＴＦＬ（設定温度ＴＦ−２℃）以上、冷凍室上限温度ＴＦＨ（設定温度ＴＦ＋２℃）以下の温度範囲となる。同様にコントロールパネル２８にて冷蔵室４の設定温度ＴＲ（例えば、＋４℃）が設定されると、当該設定温度ＴＲを含む該設定温度ＴＲの上下の範囲で冷蔵室冷却温度範囲が設定される。この場合、冷蔵室冷却温度範囲は、例えば冷蔵室下限温度ＴＲＬ（設定温度ＴＲ−２℃）以上、冷蔵室上限温度ＴＲＨ（設定温度ＴＲ＋２℃）以下の温度範囲となる。尚、上記ディファレンシャル温度（２℃）はコントロールパネル２８にて変更することができる。
【００５５】
三方弁１７が両方の蒸発器５、６に冷媒を供給する状態であるものとすると、圧縮機１３から吐出された高温冷媒は、凝縮器１４にて凝縮された後、三方弁１７を経て冷凍室蒸発器５側のキャピラリチューブ１８と、冷蔵室蒸発器６側のキャピラリチューブ１９とに分流されて流入する。各キャピラリチューブ１８、１９にて減圧された冷媒は、それぞれ対応する蒸発器５、６に流入し、そこで蒸発して冷却作用を発揮する。
【００５６】
また、各送風機７Ｆ、７Ｒが運転されると、下方の冷凍室３、冷蔵室４から冷気が吸引され、後方の蒸発器５、６に吐出される。この冷気は蒸発器５、６とそれぞれ熱交換し、冷却された後、ドレンパン２０の後方から各室３、４に吐出される。これにより、冷凍室３内及び冷蔵室４内をそれぞれ冷却する。
【００５７】
各蒸発器５、６にて蒸発した低温冷媒は、蒸発器５、６から流出した後、各冷媒配管２２、２３にそれぞれ流入し、キャピラリチューブ１８、１９の比較的高い温度の冷媒が流れる部分と熱交換した後、合流部２４にて合流して吸込配管２５より圧縮機１３に帰還する。
【００５８】
制御装置４０は図６のステップＳ１で冷凍室温度センサ２９が検出する冷凍室３の温度が前記冷凍室上限温度ＴＦＨ（設定温度ＴＦ＋２℃）以上か否か判断し、以上であればステップＳ８に進み、今度は冷蔵室温度センサ３０が検出する冷蔵室４の温度が前記冷蔵室上限温度ＴＲＨ（設定温度ＴＲ＋２℃）以上か否か判断し、以上であればステップＳ１１に進んで三方弁１７を両蒸発器５、６に冷媒を流す状態に制御する。また、このステップＳ１１で制御装置４０は、冷凍室３と冷蔵室４の現在の温度と設定温度ＴＦ、ＴＲとの偏差ｅに基づくＰＩＤ演算結果から操作量を決定し（冷凍室と冷蔵室で操作量の大きい方）圧縮機１３の運転周波数を制御する（ＰＩＤ制御）。
【００５９】
尚、制御装置４０はステップＳ８で冷蔵室４の温度が冷蔵室上限温度ＴＲＨより低い場合はステップＳ９に進み、冷蔵室４の温度が前記冷蔵室下限温度ＴＲＬ以下か否か判断し、以下である場合にはステップＳ１３に進んで三方弁１７を冷凍室蒸発器５のみに流す状態に切り換える。また、圧縮機１３は冷凍室３の温度に基づくＰＩＤ制御となる。尚、ステップＳ９で冷蔵室４の温度が冷蔵室下限温度ＴＲＬより高い場合には、制御装置４０はステップＳ１０に進み、現在冷蔵室蒸発器６に冷媒を流して冷却中か否か判断し、流している場合（即ち、下限温度まで温度を下げている途中）にはステップＳ１１に進み、流していない場合（即ち、上限温度まで温度が上がる途中）にはステップＳ１３に進む。
【００６０】
図６のステップＳ１で冷凍室３の温度が冷凍室上限温度ＴＦＨ（設定温度ＴＦ＋２℃）より低い場合、ステップＳ２に進み、冷凍室３の温度が前記冷凍室下限温度ＴＦＬ（設定温度ＴＦ−２℃）以下か否か判断し、以下であればステップＳ４に進み、冷蔵室４の温度が冷蔵室上限温度ＴＲＨ（設定温度ＴＲ＋２℃）以上か否か判断し、以上であればステップＳ１２に進んで三方弁１７を冷蔵室蒸発器６のみに冷媒を流す状態に制御する。また、このステップＳ１２で制御装置４０は冷蔵室４の温度に基づいて圧縮機１３の運転周波数をＰＩＤ制御する。
【００６１】
また、制御装置４０はステップＳ４で冷蔵室４の温度が冷蔵室上限温度ＴＲＨより低い場合はステップＳ５に進み、冷蔵室４の温度が冷蔵室下限温度ＴＲＬ以下か否か判断し、以下である場合にはステップＳ７に進んで三方弁１７を何れの蒸発器にも冷媒を流さない状態に閉じ、圧縮機１３を停止する。尚、ステップＳ５で冷蔵室４の温度が冷蔵室下限温度ＴＲＬより高い場合には、制御装置４０はステップＳ６に進み、現在冷蔵室蒸発器６に冷媒を流して冷却中か否か判断し、流している場合（即ち、下限温度まで温度を下げている途中）にはステップＳ１２に進み、流していない場合（即ち、上限温度まで温度が上がる途中）にはステップＳ７に進む。
【００６２】
また、ステップＳ２で冷凍室３の温度が冷凍室下限温度ＴＦＬ（設定温度ＴＦ−２℃）より高い場合、制御装置４０はステップＳ３に進み、現在冷凍室蒸発器５に冷媒を流して冷却中か否か判断し、流している場合（即ち、下限温度まで温度を下げている途中）にはステップＳ８に進み、流していない場合（即ち、上限温度まで温度が上がる途中）にはステップＳ４に進む。このような圧縮機１３と三方弁１７の制御により、制御装置４０は冷凍室３及び冷蔵室４の温度が前記冷凍室冷却温度範囲（設定温度ＴＦ：−２０℃を中心とした−２２℃〜−１８℃の範囲）及び冷蔵室冷却温度範囲（設定温度ＴＲ：＋４℃を中心とした＋２℃〜＋６℃の範囲）にそれぞれ入るように制御する。
【００６３】
（２）優先冷却モード（冷蔵室優先冷却モード、冷凍室優先冷却モード）
ここで、冷却貯蔵庫１の冷凍室３や冷蔵室４への食品等の出し入れのために断熱扉８や９が長時間開放され、或いは、頻繁に開閉され、若しくは、閉めたにも拘わらず完全には閉まっておらず、半開き状態で長時間放置された場合等には、当該断熱扉８の場合には冷凍室３に、断熱扉９の場合には冷蔵室４内に外気が大量に侵入してそれらの温度が異常に上昇してしまう。
【００６４】
係る場合、制御装置４０は各室の優先冷却モード（冷蔵室優先冷却モード及び冷凍室優先冷却モード）を実行する。図７のフローチャートは係る優先冷却モードを示しており、制御装置４０は前記通常冷却運転中にこのフローチャートを実行する。
【００６５】
また、制御装置４０は冷凍室３の冷凍室高温閾値ＦＳＨと冷蔵室４の冷蔵室高温閾値ＲＳＨを有している。冷凍室高温閾値ＦＳＨは前記冷凍室冷却温度範囲（冷凍室下限温度ＴＦＬ（設定温度ＴＦ−２℃）以上、冷凍室上限温度ＴＦＨ（設定温度ＴＦ＋２℃）以下の温度範囲）よりも高い所定の値、例えば設定温度ＴＦ＋５℃とされており、冷蔵室高温閾値ＲＳＨは前記冷蔵室冷却温度範囲（冷蔵室下限温度ＴＲＬ（設定温度ＴＲ−２℃）以上、冷蔵室上限温度ＴＲＨ（設定温度ＴＲ＋２℃）以下の温度範囲）よりも高い所定の値、例えば設定温度ＴＲ＋６℃とされている。
【００６６】
そして、制御装置４０は図７のステップＳ１４で冷凍室温度センサ２９が検出する冷凍室３の温度が上記冷凍室高温閾値ＦＳＨ（設定温度ＴＦ＋５℃）以下であるか否か監視しており、以下である場合にはステップＳ１５に進み、今度は冷蔵室温度センサ３０が検出する冷蔵室４の温度が上記冷蔵室高温閾値ＲＳＨ以上に上昇している状態が所定時間、例えば５分以上継続しているか否か判断する（タイマ２７で積算）。ここで、例えば冷蔵室４の断熱扉９が長時間開放される等して冷蔵室４の温度が異常に上昇し、冷蔵室高温閾値ＲＳＨ以上となってから５分以上経過した場合、制御装置４０はステップＳ１５からステップＳ１６に進み、三方弁１７を冷蔵室蒸発器６のみに冷媒が供給される状態に切り換え、更に、圧縮機１３の運転周波数を上限値（Ｇ２）に上昇させて当該上限値で継続して運転する冷蔵室優先冷却モードを実行する。
【００６７】
これにより、冷媒は冷凍室蒸発器５には供給されずに優先して冷蔵室蒸発器６のみに供給され、更に圧縮機１３の能力も最大とされるので、冷蔵室４は強力に冷却され、冷蔵室４の温度は迅速に低下していくようになる。そして、制御装置４０はステップＳ１７に進み、冷蔵室４の温度が冷蔵室下限温度ＴＲＬまで低下したか（サーモオフ）否か判断し、低下していなければステップＳ１８に進み、今度は冷凍室３の温度が前記冷凍室高温閾値ＦＳＨ以上に上昇して所定時間、例えば１分経過しているか否か判断し（タイマ２７で積算）、否であればステップＳ１７に戻って冷蔵室優先冷却モードを継続する。
【００６８】
このような冷蔵室優先冷却モードを実行している間に、例えば冷蔵室４の温度が冷蔵室下限温度ＴＲＬ以下に低下（サーモオフ）した場合、制御装置４０はステップＳ１７からスタートに戻り、冷蔵室優先冷却モードを終了する。尚、下限温度ＴＲＬに限らず、設定温度ＴＲに近づく等、前記冷蔵室冷却温度範囲の何れかの値を設定してその温度に冷蔵室４の温度が低下したことで冷蔵室優先冷却モードを終了しても良い。
【００６９】
このように冷蔵室４の温度が冷蔵室高温閾値ＲＳＨ以上に５分以上上昇しているときには、冷凍室蒸発器５への冷媒供給を停止して冷蔵室蒸発器６のみに供給する冷蔵室優先冷却モードを実行するので、冷蔵室４の温度を迅速に低下させ、収納物品の劣化を未然に回避することができるようになる。
【００７０】
この場合、冷蔵室優先冷却モードはステップＳ１４で冷凍室３の温度が冷凍室高温閾値ＦＳＨ以下である場合のみ実行されるので、冷凍室３の温度が高いときには実行されない。従って、冷凍室３の異常温度上昇も防ぐことが可能となる。
【００７１】
尚、上記冷蔵室優先冷却モードを実行している最中に、冷凍室３の温度が予想以上に上昇し、ステップＳ１８で冷凍室３の温度が冷凍室高温閾値ＦＳＨ以上となって１分経過してしまった場合、制御装置４０はステップＳ１８からスタートに戻って冷蔵室優先冷却モードを終了する（タイマ２７をリセットしない）。
【００７２】
このように、制御装置４０は冷蔵室４の温度が例えば冷蔵室下限温度ＴＲＬまで低下した場合、又は、冷凍室３の温度が冷凍室高温閾値ＦＳＨ以上に上昇している状態が１分以上継続した場合、冷蔵室優先冷却モードを終了するので、冷蔵室優先冷却モードを実行している間に冷凍室３の温度が異常に上昇してしまう不都合も未然に回避することが可能となる。
【００７３】
一方、ステップＳ１４で冷凍室３の温度が冷凍室高温閾値ＦＳＨより高い場合、制御装置４０はステップＳ１４からステップＳ１９に進み、今度は冷凍室３の温度が上記冷凍室高温閾値ＦＳＨ以上に上昇している状態が所定時間、例えば３分以上継続しているか否か判断する（タイマ２７で積算）。ここで、例えば冷凍室３の断熱扉８が長時間開放される等して冷凍室３の温度が異常に上昇し、冷凍室高温閾値ＦＳＨ以上となってから３分以上経過した場合、制御装置４０はステップＳ１９からステップＳ２０に進み、冷蔵室４の温度が冷蔵室高温閾値ＲＳＨ以下であるか否か判断する。
【００７４】
そして、冷蔵室４の温度が冷蔵室高温閾値ＲＳＨ以下であれば、制御装置４０はステップＳ２０からステップＳ２１に進み、三方弁１７を冷凍室蒸発器５のみに冷媒が供給される状態に切り換え、更に、圧縮機１３の運転周波数を上限値（Ｇ２）に上昇させて当該上限値で継続して運転する冷凍室優先冷却モードを実行する。
【００７５】
これにより、冷媒は冷蔵室蒸発器６には供給されずに優先して冷凍室蒸発器５のみに供給され、更に圧縮機１３の能力も最大とされるので、冷凍室３は強力に冷却され、冷凍室３の温度は迅速に低下していくようになる。そして、制御装置４０はステップＳ２２に進み、冷凍室３の温度が冷凍室下限温度ＴＦＬまで低下したか（サーモオフ）否か判断し、低下していなければステップＳ２３に進み、今度は冷蔵室４の温度が前記冷蔵室高温閾値ＲＳＨ以上に上昇して所定時間、例えば１分経過しているか否か判断し（タイマ２７で積算）、否であればステップＳ２２に戻って冷凍室優先冷却モードを継続する。
【００７６】
このような冷凍室優先冷却モードを実行している間に、例えば冷凍室３の温度が冷凍室下限温度ＴＦＬ以下に低下（サーモオフ）した場合、制御装置４０はステップＳ２２からスタートに戻り、冷凍室優先冷却モードを終了する。尚、下限温度ＴＦＬに限らず、設定温度ＴＦに近づく等、前記冷凍室冷却温度範囲の何れかの値を設定してその温度に冷凍室３の温度が低下したことで冷凍室優先冷却モードを終了しても良い。
【００７７】
このように冷凍室３の温度が冷凍室高温閾値ＦＳＨ以上に３分以上上昇しているときには、冷蔵室蒸発器６への冷媒供給を停止して冷凍室蒸発器５のみに供給する冷凍室優先冷却モードを実行するので、冷凍室３の温度を迅速に低下させ、収納された冷凍物品の融解等の劣化を未然に回避することができるようになる。
【００７８】
この場合、冷凍室優先冷却モードはステップＳ２０で冷蔵室４の温度が冷蔵室高温閾値ＲＳＨ以下である場合のみ実行されるので、冷蔵室４の温度が高いときには実行されない。従って、冷蔵室４の異常温度上昇も防ぐことが可能となる。
【００７９】
尚、上記冷凍室優先冷却モードを実行している最中に、冷蔵室４の温度が予想以上に上昇し、ステップＳ２３で冷蔵室４の温度が冷蔵室高温閾値ＲＳＨ以上となって１分経過してしまった場合、制御装置４０はステップＳ２３からスタートに戻って冷凍室優先冷却モードを終了する（タイマ２７をリセットしない）。
【００８０】
このように、制御装置４０は冷凍室３の温度が例えば冷凍室下限温度ＴＦＬまで低下した場合、又は、冷蔵室４の温度が冷蔵室高温閾値ＲＳＨ以上に上昇している状態が１分以上継続した場合、冷凍室優先冷却モードを終了するので、冷凍室優先冷却モードを実行している間に冷蔵室４の温度が異常に上昇してしまう不都合も未然に回避することが可能となる。
【００８１】
尚、制御装置４０は、冷却貯蔵庫１の据え付け後のプルダウン時や両蒸発器５、６の霜取運転後の一定時間は上記優先冷却モードを実行しない。両室３、４の温度がもともと高い状態であり、双方を冷やしていく必要があるからである。
【００８２】
（３）片冷え解消制御
ここで、特に減圧手段としてキャピラリチューブ１８、１９を使用し、三方弁１７で両蒸発器５、６に冷媒を分配する場合、両蒸発器５、６の双方に冷媒を供給しているときに、片方のみに冷媒が偏って供給され続けるという状況が発生することがある。例えば、冷凍室３は前記冷凍室冷却温度範囲まで冷却されているが、冷凍室３の温度が冷凍室下限温度ＴＦＬまで低下していない場合、冷媒は冷凍室蒸発器５に供給され続ける。係る状況下で例えば冷蔵室４の温度が断熱扉９の頻繁な開放等で上昇しても、冷凍室蒸発器５にも冷媒が流れている関係で冷蔵室蒸発器６に供給される冷媒量はその分減少する。一方で、冷凍室蒸発器５に供給される冷媒量も冷凍室下限温度ＴＦＬまで下げるには十分で無くなってしまうため、冷蔵室４の温度が冷蔵室冷却温度範囲よりも上に逸脱し、徐々に上昇していく状態が長時間継続される所謂片冷え状態となってしまう。逆（冷蔵室４が冷えていて冷凍室３の温度が徐々に上昇）の場合も同様である。
【００８３】
係る場合、制御装置４０は片冷え解消制御を実行する。図８のフローチャートは係る片冷え解消制御を示しており、制御装置４０は前記通常冷却運転中にこのフローチャートを実行する。即ち、制御装置４０は図８のステップＳ２４で冷凍室温度センサ２９が検出する冷凍室３の温度が前記冷凍室冷却温度範囲（冷凍室下限温度ＴＦＬ以上冷凍室上限温度ＴＦＨ以下の温度範囲）以内か否か判断する。そして、以内にある場合、制御装置４０はステップＳ２８に進んで冷蔵室温度センサ３０が検出する冷蔵室４の温度が冷蔵室上限温度ＴＲＨより上に逸脱して高くなり、その状態が所定時間、例えば１５分以上継続しているか否か判断する（タイマ２７で積算）。
【００８４】
そして、冷凍室３の片冷え状態となって、冷凍室３の温度が冷凍室冷却温度範囲まで冷えているのに冷蔵室４の温度が冷蔵室冷却温度範囲より上に逸脱している状態が所定時間（１５分）継続している場合、制御装置４０はステップＳ２８からステップＳ２９に進み、三方弁１７を冷蔵室蒸発器６のみに冷媒を供給する状態に切り換える。以後は前記通常冷却運転を実行する。
【００８５】
これにより、例えば三方弁１７が双方の蒸発器５、６に冷媒を供給している状態であっても、冷凍室３の片冷え状態となったときには、冷凍室３の温度が冷凍室下限温度ＴＦＬまで低下していなくとも、強制的に冷凍室蒸発器５への冷媒供給は停止され、冷蔵室蒸発器６のみに供給される状態に切り替わるので、冷蔵室蒸発器６のみに冷媒を供給して冷蔵室４の温度を迅速に下げることが可能となり、冷凍室３は冷えているが冷蔵室４は冷えないという片冷え状態を迅速に解消することが可能となる。
【００８６】
一方、図８のステップＳ２４で冷凍室３の温度が冷凍室冷却温度範囲内にはない場合、制御装置４０はステップＳ２４からステップＳ２５に進んで冷蔵室４の温度が冷蔵室冷却温度範囲（冷蔵室下限温度ＴＲＬ以上冷蔵室上限温度ＴＲＨ以下の温度範囲）以内か否か判断する。そして、以内にある場合、制御装置４０はステップＳ２６に進んで冷凍室３の温度が冷凍室上限温度ＴＦＨより上に逸脱して高くなり、その状態が所定時間、例えば１５分以上継続しているか否か判断する（タイマ２７で積算）。
【００８７】
そして、冷蔵室４の片冷え状態となって、冷蔵室４の温度が冷蔵室冷却温度範囲まで冷えているのに冷凍室３の温度が冷凍室冷却温度範囲より上に逸脱している状態が所定時間（１５分）継続している場合、制御装置４０はステップＳ２６からステップＳ２７に進み、三方弁１７を冷凍室蒸発器５のみに冷媒を供給する状態に切り換える。以後は前記通常冷却運転を実行する。
【００８８】
これにより、例えば三方弁１７が双方の蒸発器５、６に冷媒を供給している状態であっても、冷蔵室４の片冷え状態となったときには、冷蔵室４の温度が冷蔵室下限温度ＴＲＬまで低下していなくとも、強制的に冷蔵室蒸発器６への冷媒供給は停止され、冷凍室蒸発器５のみに供給される状態に切り替わるので、冷凍室蒸発器５のみに冷媒を供給して冷凍室３の温度を迅速に下げることが可能となり、冷蔵室４は冷えているが冷凍室３は冷えないという片冷え状態を迅速に解消することが可能となる。
【００８９】
（４）デューティー制御
ここで、例えば冷凍室３と冷蔵室４の双方が過負荷状態となって何れの室の温度も異常に上昇してしまったような場合、制御装置４０は双方の蒸発器５、６に冷媒を交互に供給するデューティー制御を実行する。図９のフローチャートはデューティー制御を示しており、制御装置４０は前記通常冷却運転中にこのフローチャートを実行する。即ち、制御装置４０は図９のステップＳ３０で冷蔵室４の温度が前記冷蔵室高温閾値ＲＳＨ以上となっている状態が所定時間、例えば１５分以上継続しているか否か判断する（タイマ２７で積算）。そして、継続している場合にはステップＳ３１に進み、冷凍室３の温度が前記冷凍室高温閾値ＦＳＨ以上となっている状態が所定時間、例えば１５分以上継続しているか否か判断する（タイマ２７で積算）。
【００９０】
何れの室４、３も所定時間以上継続して各高温閾値ＲＳＨ、ＦＳＨ以上となっている場合、制御装置４０はステップＳ３１からステップＳ３２に進み、デューティー制御を実行する。このデューティー制御で制御装置４０は、三方弁１７により例えば７分間冷媒を冷凍室蒸発器５のみに供給し、次に例えば５分間冷媒を冷蔵室蒸発器６のみに供給することを繰り返す。即ち、両蒸発器５、６に交互に冷媒を供給する。冷蔵室蒸発器６よりも冷凍室蒸発器５のほうに長く冷媒を供給するのは、冷凍室３の温度のほうが冷蔵室４の温度より上昇しやすいからである。
【００９１】
このように冷蔵室４及び冷凍室３の双方とも異常に温度上昇している状態が続いた場合、交互に各蒸発器５、６に冷媒を供給して双方の室４、５を交互に集中して冷却していくので、結果として両室４、５を迅速に温度低下させることが可能となる。
【００９２】
尚、制御装置４０はステップＳ３３で冷凍室３か冷蔵室４の温度が各冷却温度範囲内まで低下したか否か判断しており、何れかの室の温度が冷却温度範囲内に入ったらステップＳ３４に進んでデューティー制御を解除し、通常冷却運転に復帰する。これにより、何れかの室３、４の温度上昇が解消した時点で、支障無く通常の冷却状態に復帰することができるようになる。
【符号の説明】
【００９３】
１    冷却貯蔵庫
２    断熱箱体
３    冷凍室
４    冷蔵室
５    冷凍室蒸発器
６    冷蔵室蒸発器
８、９  断熱扉
１３    圧縮機
１４    凝縮器
１６    冷却装置
１７    三方弁（制御手段）
１８、１９    キャピラリチューブ（減圧手段）
２９    冷凍室温度センサ（冷凍室温度検出手段）
３０    冷蔵室温度センサ（冷蔵室温度検出手段）
３２    外気温度センサ
４０    制御装置（制御手段）
【図１】
2013200081.tif 000003
【図２】
2013200081.tif 000004
【図３】
2013200081.tif 000005
【図４】
2013200081.tif 000006
【図５】
2013200081.tif 000007
【図６】
2013200081.tif 000008
【図７】
2013200081.tif 000009
【図８】
2013200081.tif 000010
【図９】
2013200081.tif 000011